(57)【要約】【課題】従来の活性水素を有する水の生成装置は、第１・第２岩石収納器に、活性水素生成用の岩石を充填する構造である。従って、活性水素の生成であり、本来の水素水とは特性と効能は期待できないと考えられる。本発明は、家庭用として簡易な設置が図れ、低コストで提供できる風呂用の水素水生成発生具である。家庭に常備して毎日使用するに最適な風呂用の水素水発生具である。【構成】区画された部屋を有する金属素材で形成された多数の透孔を有する容器本体と、容器本体に嵌合される金属素材で形成された蓋体と、容器本体の部屋に収められるマグネシウム、黒曜石、トルマリン、抗菌砂、風化サンゴ等の粒状素材の少なくとも一種又は数種を混合した粒子を不織布の袋に収容した水素水発生体とで構成した風呂用の水素水発生装置である。従って、一般家庭に使用できる風呂用の水素水発生装置の提供と、風呂用の水素水発生装置は、簡易な構造となり有益である。【選択図】    図１
2004330011.tif 000002
【特許請求の範囲】
【請求項１】
区画された部屋を有するマグネシウム、又はステンレス製等の金属素材で形成された多数の透孔を有する容器本体と、この容器本体に嵌合されるマグネシウム、又はステンレス製等の金属素材で形成された蓋体と、マグネシウム、黒曜石、トルマリン、抗菌砂、風化サンゴ等の粒状素材の少なくとも一種又は数種を混合した粒子を不織布の袋に充填して構成した前記容器本体の部屋に収められる水素水発生体とで構成した風呂用の水素水発生装置。
【請求項２】
区画された部屋を有するマグネシウム、又はステンレス製等の金属素材で形成された多数の透孔を有する脚付きの容器本体と、この容器本体に嵌合されるマグネシウム、又はステンレス製等の金属素材で形成された蓋体と、マグネシウム、黒曜石、トルマリン、抗菌砂、風化サンゴ等の粒状素材の少なくとも一種又は数種を混合した粒子を不織布の袋に充填して構成した前記容器本体の部屋に収められる水素水発生体とで構成した風呂用の水素水発生装置。
【請求項３】
請求項１又は請求項２に記載の蓋体に、対の凹部が形成される構成とした風呂用の水素水発生装置。
【請求項４】
請求項１又は請求項２に記載の部屋は仕切板で区画し、この仕切板に多数の透孔を開設する構成とした風呂用の水素水発生装置。
【請求項５】
請求項１又は請求項２に記載の水素水発生体の粒子の混合割合を、重量％で、マグネシウム１５、黒曜石１５、トルマリン１５、抗菌砂３０、風化サンゴ２５にする構成とした風呂用の水素水発生装置。
【発明の詳細な説明】
【０００１】
【産業上の利用分野】
本発明は、風呂用の水素水発生装置に関する。
【０００２】
【従来の技術】
従来、一般の水素水発生装置と、水素水発生体としては、特開２０００−１７６４６５の活性水素を有する水の製造方法及び製造装置（文献とする）がある。その内容は、タンクと黒曜石か水晶の少なくとも一つから構成される岩石を収納した第１岩石収納器と、第１岩石収納器に連通する岩石を収納した第２岩石収納器とで構成し、タンク内の水を第１岩石収納器と第２岩石収納器の岩石に通し、この岩石を通した水をタンクに戻し、水を岩石に何度も循環させることで、水に活性水素を含有することを意図する。このようにタンクと、第１・第２岩石収納器との間で水を循環する構成であり、岩石を少量で済ませ得ること、又は水道水等の飲料に使用する水を、活性水素を含む飲料水に変換できること、及びこの活性水素を含む飲料水を、大量かつ簡単に製造できること等の特徴がある。
【０００３】
【発明が解決しようとする課題】
前記文献は、活性水素を有する水（飲料水）の生成には適する。しかし、装置を構成する部材（部品）の構造、又は配置等を考慮した場合には、大型の企業用としての製造方法であり、また製造装置である。従って、風呂用の水素水発生装置としての利用は到底不可能である。
【０００４】
この文献の発明は、第１・第２岩石収納器に、活性水素生成用の岩石を充填する構造である。従って、活性水素の生成であり、本来の水素水とはその特性と、効能は期待できないものと考えられる。
【０００５】
本発明は、家庭用として簡易な設置が図れること、又は低コストで提供できる風呂用の水素水生成発生具とすること、又は家庭に常備して、毎日使用するに最適な風呂用の水素水発生具を提供すること等にある。
【０００６】
【課題を解決するための手段】
請求項１の発明は、一般家庭に使用できる風呂用の水素水発生装置の提供と、この風呂用の水素水発生装置を、簡易な構造で達成し、また低コストで提供すること、又は家庭に常備して、毎日使用するに最適な構造の風呂用の水素水発生具を提供すること等を意図する。
【０００７】
請求項１は、区画された部屋を有するマグネシウム、又はステンレス製等の金属素材で形成された多数の透孔を有する容器本体と、この容器本体に嵌合されるマグネシウム、又はステンレス製等の金属素材で形成された蓋体と、マグネシウム、黒曜石、トルマリン、抗菌砂、風化サンゴ等の粒状素材の少なくとも一種又は数種を混合した粒子を不織布の袋に充填して構成した前記容器本体の部屋に収められる水素水発生体とで構成した風呂用の水素水発生装置である。
【０００８】
請求項２の発明は、一般家庭に使用できる風呂用の水素水発生装置の提供と、この風呂用の水素水発生装置を、簡易な構造で達成し、また低コストにより提供すること、さらに確実な水素水の生成と、風呂内において、確実かつスムーズな湯の循環を図ること等を意図する。そして、本発明は、家庭に常備して、毎日使用するに最適な構造の風呂用の水素水発生具を提供することを意図する。
【０００９】
請求項２は、区画された部屋を有するマグネシウム、又はステンレス製等の金属素材で形成された多数の透孔を有する脚付きの容器本体と、  この容器本体に嵌合されるマグネシウム、又はステンレス製等の金属素材で形成された蓋体と、マグネシウム、黒曜石、トルマリン、抗菌砂、風化サンゴ等の粒状素材の少なくとも一種又は数種を混合した粒子を不織布の袋に充填して構成した前記容器本体の部屋に収められる水素水発生体とで構成した風呂用の水素水発生装置である。
【００１０】
請求項３の発明は、請求項１又は請求項２の目的を達成すること、又は風呂内に設置して安定した状態で着座できる構造とすること等を意図する。
【００１１】
請求項３は、請求項１又は請求項２に記載の蓋体に、対の凹部が形成される構成とした風呂用の水素水発生装置である。
【００１２】
請求項４の発明は、請求項１又は請求項２の目的を達成すること、又は水素水発生体で生成される水素水の性能、量の調整と、又は生成の促進化等を意図する。
【００１３】
請求項４は、請求項１又は請求項２に記載の部屋は仕切板で区画し、この仕切板に多数の透孔を開設する構成とした風呂用の水素水発生装置である。
【００１４】
請求項５の発明は、請求項１又は請求項２の目的を達成すること、又は水素水発生体で生成される水素水の性能、量の調整と、又は生成の促進化等を意図する。さらに本発明は、清澄化された水素水を生成するに最適な風呂用の水素水発生装置の提供を意図する。
【００１５】
請求項５は、請求項１又は請求項２に記載の水素水発生体の粒子の混合割合を、重量％で、マグネシウム１５、黒曜石１５、トルマリン１５、抗菌砂３０、風化サンゴ２５にする構成とした風呂用の水素水発生装置である。
【００１６】
【発明の実施の形態】
以下、本発明の実施の態様（形態）を説明する。風呂用の水素水発生装置（水素水発生装置とする）は、部屋を有する容器本体と、この容器本体に係合される蓋体とで構成される。従って、この容器本体に、水素水発生体を収容する。この水素水発生体は、不織布でなる袋と、この袋に充填されるマグネシウム、黒曜石、トルマリン、抗菌砂、風化サンゴ等の粒状素材の少なくとも一種又は数種を混合した粒子とで構成されている。従って、部屋の形状に適合すること、又は寸法に合わせて収容する数を変更できること、水素水の発生量をコントロールできること等の利点がある。
【００１７】
このようにして、水素水発生体が収容された水素水発生装置は、風呂内部、又は浴槽に設置される。この設置された段階で、当該浴槽の水（湯）は、水素水発生装置の蓋体及び／又は容器本体に開設した透孔より進入し、水素水発生体と接触することにより、活性水素を有する水（水素水又は還元水）に変換される。即ち、処理水は、袋内のマグネシウム、黒曜石、トルマリン、抗菌砂、風化サンゴ等に接触することで、水素水となり、当該風呂内部、又は浴槽（風呂とする）に留まる。そして、必要により、予め水素水発生装置に、各種機能を備えた多重かつ交換式の多数枚のフィルター（フィルターとする）を介在する。これにより、水は多数枚のフィルターを介して清澄化、又は各種のミネラル成分、イオン成分等を含んだ水（アルカリイオン水、ミネラル磁化水、又はマイナスイオン水「処理水とする」）に変換させることも可能である。
【００１８】
前述の水素水との接触を介して自然の治癒力の向上と、体内の活性酵素（老廃物）を消して、体内の細胞・血液・腸内微生物・皮膚・毛髪等の活性化、等に寄与できる。また病気、機能障害等の根源となる活性酵素を消して、健康な生活を満喫できること、病気の治癒に役立つこと、便秘の解消に役立つこと等の特徴がある。また水のぬめり解消と、腐敗防止、又は悪臭発生の回避、雑菌の侵入防止等が図れる。
【００１９】
この例の如く、容器本体及び／又は蓋体をマグネシウム金属素材で構成した場合には、活性水の生成、水素の含有率の向上、病気治癒力の補助水生成、抗菌効果、又は後述する活性化との相乗効果の向上等の有効性が確保できる。また容器本体及び／又は蓋体をステンレス金属素材で構成した場合には、高級感覚、美観の向上、又は耐久性の向上等の有効性が確保できる。尚、この容器本体及び／又は蓋体は、他の素材、例えば、プラスチック、帆布の場合もあり得る。
【００２０】
尚、風呂に収容された水素水発生装置は、着座台、枕等としての使用方法と、単に水との接触による水素水の発生手段との使用例があるが限定されない。またこの水素水発生装置に、取手、又はハンドル等の付帯手段を設けることで、搬送、取扱いの容易化、安全性等の向上に役立てる。
【００２１】
【実施例】
以下、本発明の一実施例を説明する。
【００２２】
水素水発生装置Ａは、略方形状のステンレス製の容器本体１と、この容器本体１に嵌合（套嵌、嵌合せ等）される蓋体２と、前記容器本体１の部屋１００に収容される水素水発生体３とを主体として構成される。
【００２３】
容器本体１は、仕切板１０１を介して区画されており、前記複数の部屋１００が形成される。そして、仕切板１０１は側面１ａに設けた係止板１０１ｂを利用して、容器本体１に着脱自在に設けられており、部屋１００の寸法、また形状等の変更に役立つ構造となっている。図中１０１ａは、仕切板１０１に開設した透孔を示す。この透孔１０１ａは、貫通する。またこの容器本体１は、脚１０２を有しており、設置場所との間に隙間１０３が形成される。尚、容器本体１には、搾込み部を形成し、この搾込み部に、蓋体２の側面内側が被嵌される構成とし、蓋体２の過剰な嵌合回避と、離間防止等が図れる。そして、この容器本体１に設けた係止部１ｂと、蓋体２に設けた係止部２ｂとの係合を利用して、この両者の嵌合を図ること、又は蓋体２の取外しは、この係合解除を人手で行い、この両者の離間を図ること等の所作を利用して、この作業の安定性の確保と、安全性を達成する。
【００２４】
蓋体２は、上面２ａに多数の透孔２００を有し、また凹部２０１を有する。この凹部２０１は対で形成されており、着座時に臀部が設置される。これにより、安定した着座と、快適な着座が図れる。また場合により、もの置きとしての利用も可能である。図中２０２は取手を示す。尚、透孔２００は、場所により大きさを変更することも可能であり、例えば、図示の如く、凹部２０１を細かくして座り心地を良くすること、又は長い時間の着座にも対応できる構造とすること等である。また図示の如く、他の透孔２００を大きくし、水素水発生体（後述する）との接触の拡充と、水素水の発生の迅速化を図ることもできる。また透孔２００全体を、同じ大きさ・形状とすること、他の大小形状とすること等の方法もある。
【００２５】
水素水発生体３は、不織布でなる袋３００と、この袋３００に収容されるマグネシウム、黒曜石、トルマリン、抗菌砂、風化サンゴ等の粒状素材の少なくとも一種又は数種を混合した粒子３０１とで構成されている。従って、水は水素水発生体３の粒子３０１との接触で、水素水に変換される（水素水が生成される）。尚、マグネシウム、黒曜石、トルマリン、抗菌砂、風化サンゴ等の粒状素材を一種又は数種を混合した粒子３０１を選択することで、多様の水素水生成と、好みの水素水生成が確保できること、また状況にあった水素水、体調・症状にあった水素水生成ができること等の特徴がある。また粒子３０１の混合割合及び／又は粒状素材、粒径、量の選択は、一例であり、使用用途、目的、又はコスト面、水素の含有割合等で決定する。図中３０２は閉塞用のひもを示す。
【００２６】
【発明の効果】
請求項１の発明は、区画された部屋を有する金属素材で形成された多数の透孔を有する容器本体と、容器本体に嵌合される金属素材で形成された蓋体と、マグネシウム、黒曜石、トルマリン、抗菌砂、風化サンゴ等の粒状素材の少なくとも一種又は数種を混合した粒子を不織布の袋に充填して構成した容器本体の部屋に収められる水素水発生体とで構成した風呂用の水素水発生装置である。
【００２７】
従って、請求項１の発明は、一般家庭に使用できる風呂用の水素水発生装置の提供と、この風呂用の水素水発生装置を、簡易な構造で達成できること、また低コストで提供できること等の特徴がある。また家庭に常備して、毎日使用するに最適な構造の風呂用の水素水発生具を提供できる実益がある。
【００２８】
請求項２の発明は、区画された部屋を有する金属素材で形成された多数の透孔を有する脚付きの容器本体と、容器本体に嵌合される金属素材で形成された蓋体と、マグネシウム、黒曜石、トルマリン、抗菌砂、風化サンゴ等の粒状素材の少なくとも一種又は数種を混合した粒子を不織布の袋に充填して構成した容器本体の部屋に収められる水素水発生体とで構成した風呂用の水素水発生装置である。
【００２９】
従って、請求項２は、一般家庭に使用できる風呂用の水素水発生装置を提供できること、この風呂用の水素水発生装置を、簡易な構造で達成できること、また低コストで提供できること等の特徴がある。さらに確実な水素水の生成と、風呂内において、確実かつスムーズな湯の循環を図ることができる。そして、本発明は、家庭に常備して、毎日使用するに最適な構造の風呂用の水素水発生具を提供できる実益がある。
【００３０】
請求項３の発明は、請求項１又は請求項２に記載の蓋体に、対の凹部が形成される構成とした風呂用の水素水発生装置である。
【００３１】
従って、請求項３は、請求項１又は請求項２の目的を達成できること、又は風呂内に設置して安定した状態で着座できる構造の水素水発生具を提供できる。
【００３２】
請求項４の発明は、請求項１又は請求項２に記載の部屋は仕切板で区画し、この仕切板に多数の透孔を開設する構成とした風呂用の水素水発生装置である。
【００３３】
従って、請求項４は、請求項１又は請求項２の目的を達成できること、又は水素水発生体で生成される水素水の性能、量の調整、又は生成の促進化等が図れる特徴がある。
【００３４】
請求項５の発明は、請求項１又は請求項２に記載の水素水発生体の粒子の混合割合を、重量％で、マグネシウム１５、黒曜石１５、トルマリン１５、抗菌砂３０、風化サンゴ２５にする構成とした風呂用の水素水発生装置である。
【００３５】
従って、請求項５は、請求項１又は請求項２の目的を達成すること、又は水素水発生体で生成される水素水の性能、量の調整と、又は生成の促進化等が図れる特徴がある。さらに本発明は、清澄化された水素水を生成するに最適な風呂用の水素水発生装置を提供できる。
【図面の簡単な説明】
【図１】本発明の水素水発生装置の一例を示す斜視図
【図２】図１の容器本体の俯瞰図
【図３】図２の蓋体の要部の拡大平面図
【図４】図１の蓋体の俯瞰図
【図５】本発明の水素水発生体の一例を示す一部欠截の正面図、（イ）は袋形態、（ロ）は方形形態を示す
【符号の説明】
Ａ                  水素水発生装置
１                容器本体
１ａ              側面
１ｂ              係止部
１００              部屋
１０１              仕切板
１０１ａ                  透孔
１０１ｂ            係止板
１０２              脚
１０３              隙間
２                蓋体
２ａ              上面
２ｂ              係止部
２００              透孔
２０１            凹部
１０１              仕切板
２０２            取手
３                水素水発生体
３００            袋
３０１            粒子
３０２            ひも
【図１】
2004330011.tif 000003
【図２】
2004330011.tif 000004
【図３】
2004330011.tif 000005
【図４】
2004330011.tif 000006
【図５】
2004330011.tif 000007